(57)【要約】本発明は、家具本体において閉位置から可動家具部材を押し出すための押し出し装置のための押し出しレバーであって、細長いレバー本体を有しており、このレバー本体（２）が、その長さを調節可能に構成されている押し出しレバーに関する。【選択図】図１
2010517600.tif 000002
【特許請求の範囲】
【請求項１】
家具本体において閉位置から可動家具部材を押し出すための押し出し装置用の押し出しレバーであって、細長いレバー本体を有しており、当該レバー本体（２）はその長さが可変であることを特徴とする押し出しレバー。
【請求項２】
前記レバー本体（２）が、その長手方向に沿って少なくとも二つのレバー部材（３，４）を備えることを特徴とする請求項１に記載の押し出しレバー。
【請求項３】
前記レバー部材（３，４）が、好ましくはスナップ式連結によって、取り外し可能に連結されることを特徴とする請求項２に記載の押し出しレバー。
【請求項４】
前記レバー部材（３，４）が、限定的に可動で、互いに固定可能に装着されることを特徴とする請求項２に記載の押し出しレバー。
【請求項５】
前記レバー部材（３，４）が、互いに入れ子式に取り付けられることを特徴とする請求項４に記載の押し出しレバー。
【請求項６】
前記レバー部材（３，４）の相対的な位置を好ましくは無段階に調節するための調整手段を備えることを特徴とする請求項４または５に記載の押し出しレバー。
【請求項７】
少なくとも二つの前記レバー部材（３，４）のうちの第１のレバー部材に配置された回転可能ならせん状ねじ山付き部材（５）と、少なくとも二つの前記レバー部材（３，４）のうちの第２のレバー部材に配置された少なくとも一つの突起部（６）とを備えており、前記少なくとも一つの突起部（６）は前記らせん状ねじ山付き部材（５）と係合するように配置されていることを特徴とする請求項６に記載の押し出しレバー。
【請求項８】
前記細長いレバー本体（２）が、駆動装置の駆動出力に結合するための結合部（７）に連結されていることを特徴とする請求項１乃至７のいずれかに記載の押し出しレバー。
【請求項９】
前記レバー部材（３，４）の一方から他方への移行が可動家具部材（１１）に当接する領域において滑らかに起こるように、前記レバー部材（３，４）の各湾曲部が、相互につながるように形成されていることを特徴とする請求項２乃至８のいずれかに記載の押し出しレバー。
【請求項１０】
家具本体において閉位置から可動家具部材を押し出すための押し出し装置であって、請求項１乃至９のいずれかに記載の押し出しレバー（１）を備えることを特徴とする押し出し装置。
【請求項１１】
前記押し出しレバー（１）を駆動するための電気モータを有することを特徴とする請求項１０に記載の押し出し装置。
【請求項１２】
前記押し出しレバー（１）によって触発されると共にされ、この触発によって前記電気モータを起動させるセンサーを有することを特徴とする請求項１１に記載の押し出し装置。
【請求項１３】
家具本体と、この家具本体に可動に搭載された、可動家具部材（特に引き出し又は家具の扉）と、を有する家具であって、請求項１０乃至１２のいずれかに記載の押し出し装置（８）を備えることを特徴とする家具。
【請求項１４】
可動家具部材（１１）が、この可動家具部材（１１）と前記家具本体（１０）との間に間隙が存在するように、閉位置において前記家具本体（１０）に支持されることを特徴とする請求項１３に記載の家具。
【発明の詳細な説明】
【技術分野】
【０００１】
本発明は、家具本体において可動家具部材を閉位置から押し出すための押し出し装置用の押し出しレバーであって、細長いレバー本体を有する押し出しレバーに関する。
【背景技術】
【０００２】
従来の押し出しレバーは、常にそのレバー本体の長さが所定の幅の家具本体もしくは引き出しに対して最適に適合するようになされている。加えて、既定の押し出しレバーは、最適幅とは異なるにしてもせいぜい多少の幅しか異ならない家具本体または引き出しと共にしか使用することができない。
【０００３】
例えば、既定の押し出しレバーが過度に幅の狭い引き出しに用いられる場合、その開動作中に引き出しの後壁面のホルダーを通過し、よって不快なノイズを発生させる。加えて、レバー本体を既定の形状および長さから選択することによって、押し出し動作中の力を様々に設定することができることが分かっている。この点に関して、本レバー本体の形状および長さは引き出しの所与の幅に合わせられる。
【発明の概要】
【発明が解決しようとする課題】
【０００４】
本発明の目的は、汎用的に使用することができる押し出しレバーを開発することにある。  
【課題を解決するための手段】
【０００５】
この目的は、請求項１の特徴を有する押し出しレバーによって達成される。
【０００６】
レバー本体の長さを変化させることによって、異なる幅の引き出しのために用いることができ、または、異なる幅の家具本体において用いることができる。
【０００７】
本発明の更なる有利な構成は、添付の特許請求の範囲に記載されている。
【０００８】
レバー本体がその長手方向に沿って少なくとも二つのレバー部材を備えるのであれば、レバー本体の長さの設計を任意に様々に変更することができる。好ましくは、これら少なくとも二つのレバー部材の両方が、可動の家具部材に対して当接するための接触面を有している。
【０００９】
構造的に特に単純な特徴は、例えば、両方のレバー部材を取り外し可能に連結する工程である。例えば、スナップ式連結をこの目的のために提供することができる。これによって、工具を使用せずに第１のレバー部材に対して第２のレバー部材を着脱可能にする。
【００１０】
家具本体が所定の幅（例えば３００ｍｍ）よりも幅が広い場合、第２のレバー部材は第１のレバー部材に装着したままでよい(出荷時の状態)。家具本体が所定の幅よりも幅が狭い場合、工具を使用することなく第１のレバー部材から第２のレバー部材を取り外すことができる。
【００１１】
あるいは、これらのレバー部材が相対的に限定的に可動となるようになされると共に互いに固定するための固定オプションを設けることもできる。
【００１２】
例えば、これらのレバー部材を互いに入れ子状に取り付け、所望の状態に固定可能にすることができる。
【００１３】
そのために、これらのレバー部材の相対的な位置を無段階に調整することができるように調整手段を設けることが好ましい。
【００１４】
この調整手段は例えば、少なくとも二つのレバー部材の第１のレバー部材に配置された回転可能かつらせん状ねじ山付き部材と、これらのレバー部材の第２のレバー部材に配置された少なくとも一つの突起部とを備えるように設計することができる。
【００１５】
長さを様々に変えることができるように、これらのレバー部材の第２のレバー部材に複数の突起部を設けることが好ましい。
【００１６】
押し出しレバーを駆動するために、細長いレバー本体は、この細長いレバー本体を駆動装置の駆動出力に結合するための結合部を有することができる。
【００１７】
押し出し時に押し出しレバーによって可動家具部材に対して加えられる力の変化が可能な限り一定となるように、レバー部材の湾曲部は、これらのレバー部材の一方から他方への移行が可動家具部材に当接する領域において滑らかに起こるように、互いに適合するようになされている。
【００１８】
この点に関して、滑らかな移行のために、キンク（ねじれ・よじれ）することなく、可動家具部材に当接する面を構成するべきである。この対策によって可動家具部材に加えられる力が急に変化するのを防ぐ。
【００１９】
更に、上記の押し出しレバーを備える家具本体の閉位置から可動家具部材を押し出すための押し出し装置にも保護を請求する。
【００２０】
係る押し出し装置において、押し出しレバーが電動モータによって駆動されることが好ましい。
【００２１】
押し出し装置がタッチラッチ機能を有するのであれば、格別快適な動作オプションが提供される。これによって、可動家具部材に対して引っ張る力または押し込む力を加えることにより押し出し装置（より正確には電気モータ）を起動することができる。例えば、押し出し装置には、センサーが含まれており、このセンサーは、押し出しレバーによって起動され、この起動と同時に電気モータを駆動する。引っ張る力または押し込む力が可動家具部材に加えられたとき、この力は、可動家具部材（例えばその後部にて）と接触している押し出しレバーに伝達され、センサーを起動する。
【００２２】
家具本体と、この家具本体において可動に搭載された特に引き出しもしくは家具の扉である可動家具部材と、を有する家具の保護も請求される。
【００２３】
係る家具において、上記のタッチラッチ機能を備える押し出し装置が使用される場合、可動家具部材は閉位置においてこの家具部材と家具本体との間に間隙を有するように家具本体内に支持される。さもなければ、家具部材を家具本体に押し込むことによって押し出し装置を起動することができないであろう。
【００２４】
この間隙の幅は、可動家具部材と家具本体との間にばね緩衝器を設けることによって設定することができる。
【００２５】
本発明の更なる有利な効果および詳細は以下の詳細な説明から明らかになるであろう。
【図面の簡単な説明】
【００２６】
【図１ａ】図１ａは、押し出しレバーの第１の実施形態を示す図。
【図１ｂ】図１ｂは、押し出しレバーの第１の実施形態を示す図。
【図１ｃ】図１ｃは、押し出しレバーの第１の実施形態を示す図。
【図１ｄ】図１ｄは、押し出しレバーの第１の実施形態を示す図。
【図１ｅ】図１ｅは、押し出しレバーの第１の実施形態を示す図。
【図１ｆ】図１ｆは、押し出しレバーの第１の実施形態を示す図。
【図２ａ】図２ａは、図１の実施例の詳細な図。
【図２ｂ】図２ｂは、図１の実施例の詳細な図。
【図２ｃ】図２ｃは、図１の実施例の詳細な図。
【図２ｄ】図２ｄは、図１の実施例の詳細な図。
【図２ｅ】図２ｅは、図１の実施例の詳細な図。
【図２ｆ】図２ｆは、図１の実施例の詳細な図。
【図３ａ】図３ａは、押し出しレバーの第２の実施形態を示す図。
【図３ｂ】図３ｂは、押し出しレバーの第２の実施形態を示す図。
【図４ａ】図４ａは、図３の押し出しレバーの更なる図。
【図４ｂ】図４ｂは、図３の押し出しレバーの更なる図。
【図５ａ】図５ａは、図１の押し出しレバーを有する押し出し装置の２つの図。
【図５ｂ】図５ｂは、図１の押し出しレバーを有する押し出し装置の２つの図。
【図６ａ】図６ａは、幅の狭い家具本体における図１の押し出しレバーの使用を示す図。
【図６ｂ】図６ｂは、幅の狭い家具本体における図１の押し出しレバーの使用を示す図。
【図７ａ】図７ａは、幅の広い家具本体における図１と同じ押し出しレバーの使用を示す図。
【図７ｂ】図７ｂは、幅の広い家具本体における図１と同じ押し出しレバーの使用を示す図。
【発明を実施するための形態】
【００２７】
図示された全ての実施形態において、表面が凹面状に延びる二つのレバー部材３、４は、可動家具部材１１に対して当接する接触面を有する。
【００２８】
図１ａ〜１ｆは、細長いレバー本体２を有する押し出しレバー１を示しており、この実施形態では二つの部材３、４からなっている。この細長いレバー本体２は結合部７に連結されている。この押し出しレバーが押し出し装置に配置される場合、結合部７は駆動装置の駆動出力と協働する。図１ａおよび図１ｃに見られるような歯状の構成は、回転式ポテンショメータに結合され、このポテンショメータは駆動装置を作動させるためのセンサーとして機能することができる（特にタッチラッチ機能に関連する）。
【００２９】
図１の実施形態は、レバー部材３および４を互いに取り外し可能に固定するためのスナップ式連結部を備えている。このスナップ式連結部の構成は特に図２に示してある。
【００３０】
レバー本体２の長さを延ばすためには、第２のレバー部材４を第１のレバー部材３上に押し込む。図２は押し込まれた状態を示している。
【００３１】
第２の部材４が第１の部材３上に押し込まれるため、レバー部材４の前端突出部はレバー部材３のリム１３の下に嵌合される。弾性フック１４が、レバー部材４がレバー部材３から抜けることを防ぐ。レバー部材４の凸部１５が下方に押圧されると、フック１４は水平方向に偏向（特に図２ｄを参照）し、レバー部材４をレバー部材３から外すことができる。
【００３２】
図２ｅは、結合部７がその歯状構成によって回転式ポテンショメータの制御部材１６とどのように協働するかを示している。
【００３３】
図２ｆは、歯車１８の構成を示しており、これにより、押し出しレバー１が押し出し装置８の部分９（図示せず）に配置された駆動装置によって駆動される。
【００３４】
図３の実施形態において、レバー部材３および４は相対的に限定的に移動可能に取り付けられている。
【００３５】
この構成は、らせん状ねじ山付き部材５（第１のレバー部材３に固定されている）と複数の突起部６（第２のレバー部材４に固定されている）からなる調節手段を備える。
【００３６】
図３ａおよび３ｂから分かるように、細長いレバー本体２の長さは、らせん状ねじ山付き部材５を回転することによって無段階に変化させることができる（例えばドライバーを用いて）。この点に関して、自動ロック動作によって、らせん状ねじ山付き部材５のレバー部材３および４は所望の位置に互いに相関して固定される。
【００３７】
図４ａおよび４ｂは、図３に示される構成の分解組立図を示しており、特に、らせん状ねじ山付き部材５がどのように搭載されるかと、レバー部材４の突起部６の構成を示している。
【００３８】
図５ａおよび５ｂは、第１の実施形態（図１および２）による押し出しレバー１を備える押し出し装置８を示している。これは、押し出しレバー１がどのように押し出し装置８に配置されるかについて例示するためのみの目的である。第１の実施形態による押し出しレバー１の配置が示されているが、異なる構成の異なる長さを有する押し出しレバー１（例えば第２の実施形態によるもの（図３および４））も図示と同様にアクチュエータ８に取り付けることも可能である。
【００３９】
押し出し装置８の部分９は、駆動装置（電気モータ）、電子制御システム、センサーならびに電源を備えている。
【００４０】
図６ａは、複数の押し出し装置８を備える家具本体（もしくはカーカス）１０と、家具部材１１とを例示目的で示している。家具部材１１は他にも三つあり、押し出し装置８を良く見えるようにするために、ここでは家具本体１０から除去されている。
【００４１】
図６ｂは、この実施形態では第１の短い長さを有する押し出しレバー１を備える押し出し装置８の動作位置を示している。この状態において、押し出しレバー１は、可動家具部材１１の後面壁に対して当接しており、この可動家具部材１１の後面壁に対する押し出しレバー１の枢動によって家具本体１０において閉位置から家具部材１１を押し出す。
【００４２】
図７ａは、同じ押し出し装置８を備える幅の広い家具本体を示している。
【００４３】
図７ｂは、同じ押し出し装置８の配置を詳細に示しており、ここではその押し出しレバー１が、長さの長いレバー本体２を有している。図示した態様では、第２のレバー部材４が第１のレバー部材３上に嵌合されている。図示はされていないが、異なる構成の異なる長さの押し出しレバーを使用することも当然可能である。
【図１ａ】
2010517600.tif 000003
【図１ｂ】
2010517600.tif 000004
【図１ｃ】
2010517600.tif 000005
【図１ｄ】
2010517600.tif 000006
【図１ｅ】
2010517600.tif 000007
【図１ｆ】
2010517600.tif 000008
【図２ａ】
2010517600.tif 000009
【図２ｂ】
2010517600.tif 000010
【図２ｃ】
2010517600.tif 000011
【図２ｄ】
2010517600.tif 000012
【図２ｅ】
2010517600.tif 000013
【図２ｆ】
2010517600.tif 000014
【図３ａ】
2010517600.tif 000015
【図３ｂ】
2010517600.tif 000016
【図４ａ】
2010517600.tif 000017
【図４ｂ】
2010517600.tif 000018
【図５ａ】
2010517600.tif 000019
【図５ｂ】
2010517600.tif 000020
【図６ａ】
2010517600.tif 000021
【図６ｂ】
2010517600.tif 000022
【図７ａ】
2010517600.tif 000023
【図７ｂ】
2010517600.tif 000024
【国際調査報告】
2010517600.tif 000025
2010517600.tif 000026
2010517600.tif 000027
2010517600.tif 000028